(57)【要約】【課題】ボビンを安定状態に吊り下げることができるボビン吊り下げ具を提供する。【解決手段】ボビンＢの端部のフランジＢｂに取り付けられるボビン吊り下げ具１１において、フランジＢｂの外側端面に設置される本体部１２には、フランジＢｂの外周縁を把持する複数の把持部１４と、本体部１２を吊り下げ支持するリング１６とを設ける。少なくとも一つの把持部１４には、フランジＢｂの外周縁を把持する把持位置と、その把持を解放する解放位置との間を移動可能な把持部材１８を設ける。その把持部材１８をネジ２１の締め付けにより把持位置に保持する保持構造２０を設ける。その保持構造２０のネジ２１の弛みが所定範囲内の場合には把持部材１８の解放位置への移動を阻止する阻止構造２２を設ける。【選択図】図１
2013010624.tif 000002
【特許請求の範囲】
【請求項１】
ボビンを吊下げるために、ボビンの端部のフランジに取り付けられるボビン吊り下げ具において、
本体部には、フランジの外周縁を把持する複数の把持部と、本体部を吊り下げるための吊下げ部材に掛けられる被吊下げ部とを設け、
少なくとも一つの前記把持部には、フランジの外周縁を把持する把持位置と、その把持を解放する解放位置との間を移動可能な把持部材と、その把持部材を把持位置に保持する保持手段と、その保持手段を把持部材の保持状態にロックするとともに、ロック状態を解除可能にしたロック手段とを設けたことを特徴とするボビン吊り下げ具。
【請求項２】
前記本体部を三つ又のアーム部によって構成し、それらの３つのアーム部の交差部に前記被吊下げ部を設けるとともに、各アーム部の先端部に前記把持部を設けたことを特徴とする請求項１に記載のボビン吊り下げ具。
【請求項３】
前記保持手段は、前記把持部材をネジの締め付けにより把持位置に保持するように構成するとともに、前記ロック手段は前記ネジの弛みが所定量以内の場合には把持部材の解放位置への移動を阻止するように構成したことを特徴とする請求項１または２に記載のボビン吊り下げ具。
【請求項４】
前記ロック手段は、前記アーム部に形成された凹部であって、前記保持手段を構成するネジが凹部内に落ち込むことによって把持部材の解放方向への移動が阻止されることを特徴とした請求項２または３に記載のボビン吊り下げ具。
【請求項５】
透孔を形成した板をアーム部の上面に固定することにより、透孔によって凹部を形成した請求項４に記載のボビン吊り下げ具。
【発明の詳細な説明】
【技術分野】
【０００１】
この発明は、例えばワイヤソーに用いられるボビンを吊り下げて搬送する場合等に用いられるボビン吊り下げ具に関するものである。
【背景技術】
【０００２】
ワイヤソーは、ワイヤが巻き回される一対のボビンを備え、一方のボビンから繰り出されるワイヤが、複数の加工用ローラ間に複数回周回されて走行され、他方のボビンに巻き取られる。この状態で、加工用ローラ間のワイヤ上に加工液が供給されながら、そのワイヤに対してワークが押し付けられて、ワークに切断加工が施される。そして、ワークの切断加工によってワイヤが摩耗するため、摩耗したワイヤはボビンごと交換される。
【発明の概要】
【発明が解決しようとする課題】
【０００３】
ところが、１つのボビンに巻き回されたワイヤは長さが１００Ｋｍを超えることもあって、きわめて重い。従って、ボビンの交換作業やそれにともなう搬送は面倒である。
この発明の目的は、ボビンを安定状態で吊り下げて搬送作業等を容易に行うことができるボビン吊り下げ具を提供することにある。
【課題を解決するための手段】
【０００４】
上記の目的を達成するために、この発明は、ボビンを吊下げるために、ボビンの端部のフランジに取り付けられるボビン吊り下げ具において、本体部には、フランジの外周縁を把持する複数の把持部と、本体部を吊り下げるための吊下げ部材に掛けられる被吊下げ部とを設け、少なくとも一つの前記把持部には、フランジの外周縁を把持する把持位置と、その把持を解放する解放位置との間を移動可能な把持部材と、その把持部材を把持位置に保持する保持手段と、その保持手段を把持部材の保持状態にロックするとともに、ロック状態を解除可能にしたロック手段とを設けたことを特徴としている。
【０００５】
従って、この発明においては、本体部をボビンのフランジの外側端面に配置するとともに、複数の把持部によりフランジの外周縁を把持することによって、ボビン吊り下げ具がボビンのフランジに取り付けられる。この場合、一つの把持部に設けられた把持部材を解放位置から把持位置に移動させるとともに、保持手段のネジを締め付けることにより、把持部材を把持位置に保持することができる。そして、本体部上の被吊下げ部にクレーンのフック等を掛止することにより、ボビン吊り下げ具を介してボビンを吊り下げて、ボビンの搬送作業等を行うことができる。このとき、ロック手段により把持部材の解放位置への移動が阻止されるため、把持部材の把持位置から解放位置への移動により、フランジの把持が解放されるおそれはない。よって、ボビンを安定状態に吊り下げて搬送作業等を容易に行うことができる。
【０００６】
前記の構成において、前記本体部を三つ又のアーム部によって構成し、それらの３つのアーム部の交差部に前記被吊下げ部を設けるとともに、各アーム部の先端部に前記把持部を設けるとよい。
【０００７】
前記の構成において、前記保持手段は、前記把持部材をネジの締め付けにより把持位置に保持するように構成するとともに、前記ロック手段は前記ネジの弛みが所定量以内の場合には把持部材の解放位置への移動を阻止するように構成するとよい。
【０００８】
前記の構成において、前記ロック手段は、前記アーム部に形成された凹部であって、前記保持手段を構成するネジが凹部内に落ち込むことによって把持部材の解放方向への移動が阻止されるようにするとよい。
【０００９】
前記の構成において、透孔を形成した板をアーム部の上面に固定することにより、透孔によって凹部を形成するとよい。
【発明の効果】
【００１０】
以上のように、この発明によれば、ボビンを安定状態で吊り下げて搬送作業等を容易に行うことができるという効果を発揮する。
【図面の簡単な説明】
【００１１】
【図１】第１実施形態のボビン吊り下げ具をボビンに取り付けた状態を示す斜視図。
【図２】図１のボビンに対するボビン吊り下げ具の取り付け状態の平面図。
【図３】図２の３−３線における断面図。
【図４】図２の４−４線における断面図。
【図５】図４の一部を拡大して示す部分断面図。
【図６】図５の６−６線における断面図。
【図７】第２実施形態を示す断面図。
【図８】図７の６−６線における断面図。
【発明を実施するための形態】
【００１２】
以下に、この発明を具体化したボビン吊り下げ具の実施形態を図面に従って説明する。
（第１実施形態）
図１に示すように、第１実施形態のボビン吊り下げ具１１は、ワイヤＷが巻き回されるボビンＢを吊り下げて搬送する場合に用いられる。このボビンＢは、ワイヤＷを巻き回するための円筒状の胴部Ｂａと、その胴部Ｂａの両端部に形成された一対の円板状のフランジＢｂとを備えている。そして、ボビン吊り下げ具１１が、ボビンＢの一端部のフランジＢｂ上に装着され、その状態でボビンＢが吊下げられる。
【００１３】
そこで、以下にボビン吊り下げ具１１について詳細に説明する。
図１〜図４に示すように、前記ボビン吊り下げ具１１には、ボビンＢのフランジＢｂの外側端面に設置される本体部１２が設けられている。この本体部１２は、中央の交差部１２ｂから等角度間隔で放射方向に延びる三つ又のアーム部１２ａによって構成されている。各アーム部１２ａの上面には長手方向に延びる補強リブ１３がそれぞれ突設されるとともに、各アーム部１２ａの先端部にはフランジＢｂの外周縁を把持するための把持部１４がそれぞれ設けられている。アーム部１２ａの中央の交差部１２ｂ上には前記補強リブ１３に連なるボス部１５が形成され、そのボス部１５には吊下げ部材としてのクレーンの吊り下げ用フックＨ等（図３参照）に掛止して本体部１２を吊り下げ支持するための被吊下げ部としてのリング１６が取り付けられている。
【００１４】
図２及び図３に示すように、前記複数の把持部１４のうちで２つの把持部１４においては、各アーム部１２ａの先端部に側面形ほぼ横Ｕ字状の固定把持体１７が固定されている。そして、これらの固定把持体１７により、フランジＢｂの外周縁が２箇所において把持される。
【００１５】
図２及び図４〜図６に示すように、前記複数の把持部１４のうちで残りの１つの把持部１４においては、アーム部１２ａの先端部に側面形ほぼＬ字状の把持部材１８が、図４及び図５に実線で示すようにフランジＢｂの外周縁を把持する把持位置Ｐ１と、同図に鎖線で示すようにその把持を解放する解放位置Ｐ２との間を移動可能に支持されている。把持部材１８の上面両側部には、アーム部１２ａの両側縁に当接して把持部材１８の移動を案内するための一対の案内片１８ａが突設されている。
【００１６】
前記１つの把持部１４におけるアーム部１２ａの先端部には、把持部材１８の移動範囲を規制するための長孔１９が長手方向に沿って形成されている。アーム部１２ａと把持部材１８との間には、ネジ２１の締め付けにより把持部材１８を前記把持位置Ｐ１に保持するための保持手段としての保持構造２０が設けられている。この保持構造２０のネジ２１は段付きネジより構成され、頭部２１ａと、大径部２１ｂと、アーム部１２ａの長孔１９を介して把持部材１８のネジ孔に螺合される小径ネジ部２１ｃとを備えている。
【００１７】
前記保持構造２０の段付きネジ２１とアーム部１２ａとの間には、段付きネジ２１の弛みが所定量以内の場合に、把持部材１８の把持位置Ｐ１から解放位置Ｐ２への移動を阻止して段付きネジ２１をロックするためのロック手段としての阻止構造２２が設けられている。すなわち、アーム部１２ａの先端上面には、所定の板厚Ｔを有するロック板２３が複数のネジ２４により取り付けられている。ロック板２３には、段付きネジ２１の大径部２１ｂが挿通可能な大径孔部２３ａと、段付きネジ２１の小径ネジ部２１ｃが挿通可能な小径長孔部２３ｂとが長手方向に連続して形成されている。前記大径孔部２３ａによりアーム部１２ａの上面に凹部が形成されている。
【００１８】
そして、図４〜図６に実線で示すように、ボビン吊り下げ具１１の取り付け時等に、把持部材１８の把持位置Ｐ１において段付きネジ２１が締め付けられたときには、ロック板２３の大径孔部２３ａに段付きネジ２１の大径部２１ｂ内に落ち込み、把持部材１８の把持位置Ｐ１から解放位置Ｐ２への移動が阻止される。また、同図に鎖線で示すように、ボビン吊り下げ具１１の取り外し時等に、段付きネジ２１が所定量を越えて弛められて大径部２１ｂがロック板２３の板厚Ｔの寸法を超えてロック板２３の上面側に移動されたときには、把持部材１８の把持位置Ｐ１と解放位置Ｐ２との間の移動が許容される。
【００１９】
次に、前記のように構成されたボビン吊り下げ具の作用を説明する。
ワイヤソーにおけるワイヤの交換時において、ボビン吊り下げ具１１を用いてボビンＢを吊り下げ搬送する際には、そのボビンＢの一端部のフランジＢｂ上にボビン吊り下げ具１１を取り付ける。この場合には、ボビン吊り下げ具１１の１つの把持部１４の段付きネジ２１を所定量，すなわちロック板２３の板厚Ｔの寸法以上に緩めて、把持部材１８を図４及び図５に鎖線示す解放位置Ｐ２に移動させる。この状態で、ボビン吊り下げ具１１の本体部１２をボビンＢのフランジＢｂの外側端面に設置するとともに、２つの把持部１４の固定把持体１７をフランジＢｂの外周縁に係合させる。
【００２０】
その後、前記把持部材１８を図４及び図５に鎖線で示す解放位置Ｐ２から、同図に実線で示す把持位置Ｐ１に移動させて、その把持部材１８をフランジＢｂの外周縁に係合させる。この状態で、段付きネジ２１を締め付けると、把持部材１８が把持位置Ｐ１において本体部１２のアーム部１２ａに対して固定される。この固定により、ボビンＢのフランジＢｂがその外周縁の３箇所において、２つの固定把持体１７及び１つの把持部材１８によって安定に把持される。そして、図３及び図４に鎖線で示すように、本体部１２上のリング１６にクレーンのフックＨ等を掛止すれば、ボビン吊り下げ具１１を介してボビンＢを吊り下げて、そのボビンＢの脱着や搬送等の作業を容易に行うことができる。
【００２１】
このとき、図５及び図６に実線で示すように、ロック板２３の大径孔部２３ａ内に段付きネジ２１の大径部２１ｂが位置しており、このため、把持部材１８の把持位置Ｐ１から解放位置Ｐ２への移動が阻止されている。このため、ボビン搬送時のガタ付き等によって生じ得る範囲での段付きネジ２１の多少の弛みに対しても、把持部材１８が把持位置Ｐ１から解放位置Ｐ２側に移動されるおそれはない。よって、ボビンＢの搬送作業時等において、把持部材１８によるフランジＢｂの外周縁の把持が解放されるおそれを防止することが可能になり、ボビンＢを簡単に吊り下げて安定状態で搬送させることができる。
【００２２】
従って、この実施形態によれば、以下のような効果を得ることができる。
（１）  このボビン吊り下げ具においては、本体部１２に、ボビンＢのフランジＢｂの外周縁を把持する複数の把持部１４と、本体部１２を吊り下げ支持するリング１６とが設けられている。そして、一つの把持部１４には、フランジＢｂの外周縁に対する把持位置Ｐ１と解放位置Ｐ２に移動可能な把持部材１８と、その把持部材１８をネジ２１の締め付けにより把持位置Ｐ１に保持する保持構造２０と、その保持構造２０のネジ２１の弛みが所定範囲内の場合に把持部材１８の解放位置Ｐ２への移動を阻止する大径孔部２３ａよりなる阻止構造２２とが設けられている。
【００２３】
このため、ボビン吊り下げ具１１をボビンＢのフランジＢｂに取り付ける場合には、把持部材１８を解放位置Ｐ２から把持位置Ｐ１に移動させるとともに、保持構造２０のネジ２１を締め付けることにより、把持部材１８を把持位置Ｐ１に保持することができる。そして、本体部１２上のリング１６にクレーンのフックＨ等を掛止することにより、ボビン吊り下げ具１１を介してボビンＢを吊り下げて、ボビンＢの搬送作業等を行うことができる。このとき、保持構造２０のネジ２１に多少の弛みが生じても、そのネジ２１の弛みが所定量以内である場合には、阻止構造２２により把持部材１８の解放位置Ｐ２への移動が阻止される。よって、ネジ２１の弛みにともなう把持部材１８の把持位置Ｐ１から解放位置Ｐ２への移動により、フランジＢｂの把持が解放されるおそれはなく、ボビンＢを安定状態に吊り下げて搬送作業等を容易に行うことができる。
【００２４】
（２）  このボビン吊り下げ具においては、前記本体部１２が三つ又のアーム部１２ａによって構成され、それらの３つのアーム部１２ａの交差部１２ｂに前記リング１６が設けられるとともに、各アーム部１２ａの先端部に前記把持部１４が設けられている。このため、３つの把持部１４により、ボビンＢのフランジＢｂをその外周縁の３箇所において安定に把持することができるとともに、各アーム部１２ａの交差部１２ｂ上のリング１６により、ボビンＢを安定に吊り下げ支持することができる。
【００２５】
（３）  このボビン吊り下げ具においては、前記保持構造２０のネジ２１が段付きネジより構成されるとともに、阻止構造２２が本体部１２上に設けられたロック板２３より構成されている。そして、このロック板２３には、締め付け状態の段付きネジ２１の大径部２１ｂに収容して、把持部材１８の把持位置Ｐ１から解放位置Ｐ２への移動を阻止する大径孔部２３ａと、段付きネジ２１を緩めた状態で、把持部材１８の把持位置Ｐ１と解放位置Ｐ２との間の移動を許容する小径長孔部２３ｂとが形成されている。
【００２６】
このため、段付きネジ２１の締め付けにより把持部材１８が把持位置Ｐ１に保持された状態において、その段付きネジ２１にロック板２３の板厚Ｔの寸法を超えない多少の弛みが生じても、把持部材１８が把持位置Ｐ１から解放位置Ｐ２に移動されるおそれはない。従って、把持部材１８の解放位置Ｐ２側への妄動を効果的に抑制することができる。そして、この機能を得るために、１枚のロック板２３をアーム部１２ａに固定しただけであるから、阻止構造２２が簡単である。
【００２７】
（第２実施形態）
次に、この発明の第２実施形態を図７及び図８に基づいて説明する。この第２実施形態においては、第１実施形態と異なる部分を中心に説明する。
【００２８】
第２実施形態においては、段付きネジ２１は設けられておらず、それに代えて、段付きピン１２１がその段部である大径部１２１ｂをアーム部１２ａの上面に係合させた状態で、アーム部１２ａの長孔１９及びロック板２３の小径長孔部２３ｂにそれらの延長方向に移動可能に、かつ長孔１９及び把持部材１１８の孔１１８ｂに対して図７の上下方向に移動可能に挿通されている。把持部材１１８は、その両側の案内片１１８ａをアーム部１２ａの上面に係合させて、図７の下方へは移動されないようにしている。そして、段付きピン１２１はスプリング２５によって下方へ向かって付勢されている。
【００２９】
従って、把持部材１１８は、図７及び図８に示す状態、すなわちフランジＢｂに係合するとともに、段付きピン１２１がロック板２３の大径孔部２３ａ内に位置する状態においては、スプリング２５の付勢力によってその状態に保持される。この状態においては、段付きピン１２１は把持部材１１８がスプリング２５によって把持状態に保持されるようにロックしている。把持部材１１８をフランジＢｂから外す場合には、段付きピン１２１の大径部１２１ｂがロック板２３の上面側に位置するまで、把持部材１１８をスプリング２５の付勢力に抗して引き上げ、次いで長孔１９及び小径長孔部２３ｂに沿って外方へ移動させればよい。また、把持部材１１８をフランジＢｂに係合させるためには、段付きピン１２１を大径孔部２３ａの位置まで移動させればよく、このようにすれば、段付きピン１２１は大径部１２１ｂがスプリング２５の付勢力によって大径孔部２３ａ内に引き下げられて、把持部材１１８の移動がロックされた状態になる。
【００３０】
従って、第２実施形態では、以下の効果がある。
（４）  把持部材１１８をフランジＢｂに対して着脱させる場合は、段付きピン１２１の引き上げとスライドを行えばよく、その作業が容易である。
【００３１】
（変更例）
なお、この実施形態は、次のように変更して具体化することも可能である。
・  阻止構造２２のロック板２３を本体部１２のアーム部１２ａと別体で構成することなく、アーム部１２ａの上面に一体に形成し、そのアーム部１２ａ及びロック板２３の一体形成部分に、前記長孔１９、大径孔部２３ａ及び小径長孔部２３ｂに相当する孔を形成すること。
【００３２】
・  本体部１２にボビンＢのフランジＢｂの外周縁を把持するための４つ以上の複数の把持部１４を設けること。
・  複数の把持部１４のうちで、２つ以上の複数の把持部１４に把持位置と解放位置との間を移動可能な把持部材１８、保持手段としての保持構造２０及びロック手段としての阻止構造２２を設けること。
【符号の説明】
【００３３】
１１…ボビン吊り下げ具、１２…本体部、１２ａ…アーム部、１２ｂ…交差部、１４…把持部、１６…被吊下げ部、１７…固定把持体、１８…把持部材、２０…保持手段としての保持構造、２１…段付きネジ、２１ｂ…大径部、２１ｃ…小径ネジ部、２２…ロック手段としての阻止構造、２３…ロック板、２３ａ…大径孔部、２３ｂ…小径長孔部、１１８…把持部材、Ｂ…ボビン、Ｂｂ…フランジ、Ｗ…ワイヤ、Ｈ…クレーンのフック、Ｐ１…把持位置、Ｐ２…解放位置、Ｔ…板厚。
【図１】
2013010624.tif 000003
【図２】
2013010624.tif 000004
【図３】
2013010624.tif 000005
【図４】
2013010624.tif 000006
【図５】
2013010624.tif 000007
【図６】
2013010624.tif 000008
【図７】
2013010624.tif 000009
【図８】
2013010624.tif 000010